(57)【特許請求の範囲】
【請求項１】
物体側から像側へ順に、ズーミングのためには不動で合焦機能を有する正の屈折力の第１レンズ群、ズーミングに際して移動する負の屈折力の第２レンズ群、ズーミングに際して移動する正の屈折力の第３レンズ群、ズーミングに際して移動する負の屈折力の第４レンズ群、ズーミングのためには不動の正の屈折力の第５レンズ群から構成される、ズーム比が１７倍以上であるズームレンズにおいて、
広角端における全系の焦点距離をｆｗ、ズーム比をＺとし、中間のズーム位置の焦点距離ｆＭを
ｆＭ＝ｆＷ×√Ｚ
とし、広角端における前記第２レンズ群と前記第３レンズ群の間隔をＬ２Ｗ、広角端から焦点距離ｆＭまでのズーム範囲のうち、前記第２レンズ群と前記第３レンズ群の間隔が最大となる最大値をＬ２ｍａｘとするとき、
１．１＜Ｌ２ｍａｘ／Ｌ２Ｗ≦６．６６
なる条件を満足することを特徴とするズームレンズ。
【請求項２】
前記第２、第３レンズ群の焦点距離を各々ｆ２、ｆ３、前記第２レンズ群と前記第３レンズ群の合成焦点距離ｆ２３を
ｆ２３＝（ｆ２×ｆ３）／（ｆ２＋ｆ３））
とおくとき、
２．３＜｜ｆ３／ｆ２３｜＜３３．０
なる条件を満足することを特徴とする請求項１に記載のズームレンズ。
【請求項３】
前記第１、第２、第３レンズ群の焦点距離を各々ｆ１、ｆ２、ｆ３としたとき、前記第２レンズ群と前記第３レンズ群の合成焦点距離ｆ２３を
ｆ２３＝（ｆ２×ｆ３）／（ｆ２＋ｆ３））
とおくとき、
４．０＜｜ｆ１／ｆ２３｜＜８．０
なる条件を満足することを特徴とする請求項１又は２に記載のズームレンズ。
【請求項４】
前記第２、第３レンズ群の焦点距離をｆ２、ｆ３とするとき、
３．３＜｜ｆ３／ｆ２｜＜３３．０
なる条件を満足することを特徴とする請求項１、２又は３に記載のズームレンズ。
【請求項５】
前記第３レンズ群の焦点距離をｆ３とするとき、
５．０＜｜ｆ３／Ｌ２ｍａｘ｜＜４２０．０
なる条件を満足することを特徴とする請求項１乃至４のいずれか１項に記載のズームレンズ。
【請求項６】
請求項１乃至５のいずれか１項に記載のズームレンズと、該ズームレンズによって形成された像を受光する固体撮像素子を有していることを特徴とする撮像装置。
【発明の詳細な説明】
【技術分野】
【０００１】
本発明はズームレンズ及びそれを有する撮像装置に関し、放送用テレビカメラ、ビデオカメラ、デジタルスチルカメラ、銀塩写真用カメラ等に好適なものである。
【背景技術】
【０００２】
近年、放送用テレビカメラ、銀塩フィルム用カメラ、デジタルカメラ、ビデオカメラ等の撮像装置には、広画角、高ズーム比でしかも高い光学性能を有したズームレンズが要望されている。広画角、高ズーム比のズームレンズとして、最も物体側に正の屈折力のレンズ群を配置し、全体として５つのレンズ群より成るポジティブリード型の５群ズームレンズが知られている。このポジティブリード型のズームレンズで、バリエータとコンペンセータの機能を持つ変倍レンズ群を３つの可動レンズ群で構成し、ズーミングに際して互いに異なった軌跡で移動したテレビカメラに好適な５群ズームレンズが知られている（特許文献１、２）。特許文献１では、正の屈折力の第１レンズ群、変倍用の負の屈折力の第２レンズ群、負の屈折力の第３レンズ群、正の屈折力の第４レンズ群、そして結像用の正の屈折力の第５レンズ群から構成されたズームレンズが提案されている。特許文献１では第２、第３、第４レンズ群で変倍系を構成している。特許文献２では、正の屈折力の第１レンズ群、変倍用の負の屈折力の第２レンズ群、像面補正用の負の屈折力の第３レンズ群、そして結像用の正の屈折力の第４レンズ群で構成されるズームレンズが提案されている。そして変倍用の負の屈折力の第２レンズ群を負の屈折力の第２Ａレンズ群と正の屈折力の第２Ｂレンズ群で構成し、全体として５つのレンズ群よりズームレンズを構成している。
【先行技術文献】
【特許文献】
【０００３】
【特許文献１】特開平１−１２６６１４号公報
【特許文献２】特開平１０−０３１１５７号公報
【発明の概要】
【発明が解決しようとする課題】
【０００４】
前述した５群ズームレンズにおいて、広画角、及び高ズーム比で、全ズーム範囲にわたり高い光学性能を得るには、変倍レンズ群の屈折力やズーミングの際の移動条件等を適切に設定することが重要になってくる。例えば変倍用の第２、第３レンズ群の屈折力や変倍に伴う移動軌跡、特に広角端から中間のズーム位置に至るズーム範囲における移動軌跡等を適切に設定することが重要になってくる。これらの構成を適切に設定しないと、全系の小型化を図りつつ、広画角かつ高ズーム比で全ズーム範囲にわたり高い光学性能のズームレンズを得るのが難しくなってくる。
【０００５】
本発明は、広画角、高ズーム比でしかも全ズーム範囲にわたり高い光学性能を有するズームレンズ及びそれを有する撮像装置の提供を目的とする。
【課題を解決するための手段】
【０００６】
本発明のズームレンズは、物体側から像側へ順に、ズーミングのためには不動で合焦機能を有する正の屈折力の第１レンズ群、ズーミングに際して移動する負の屈折力の第２レンズ群、ズーミングに際して移動する正の屈折力の第３レンズ群、ズーミングに際して移動する負の屈折力の第４レンズ群、ズーミングのためには不動の正の屈折力の第５レンズ群から構成される、ズーム比が１７倍以上であるズームレンズにおいて、
広角端における全系の焦点距離をｆｗ、ズーム比をＺとし、中間のズーム位置の焦点距離ｆＭを
ｆＭ＝ｆＷ×√Ｚ
とし、広角端における前記第２レンズ群と前記第３レンズ群の間隔をＬ２Ｗ、広角端から焦点距離ｆＭまでのズーム範囲のうち、前記第２レンズ群と前記第３レンズ群の間隔が最大となる最大値をＬ２ｍａｘとするとき、
１．１＜Ｌ２ｍａｘ／Ｌ２Ｗ≦６．６６
なる条件を満足することを特徴としている。
【発明の効果】
【０００９】
本発明によれば、広画角、高ズーム比で全ズーム範囲において高い光学性能を持ったズームレンズ及びそれを有する撮像装置が得られる。
【図面の簡単な説明】
【００１０】
【図１】本発明の数値実施例１の広角端、中間のズーム位置、望遠端におけるレンズ断面図
【図２】本発明の数値実施例１の広角端、中間のズーム位置、望遠端における収差図
【図３】本発明の数値実施例２の広角端、中間のズーム位置、望遠端におけるレンズ断面図
【図４】本発明の数値実施例２の広角端、中間のズーム位置、望遠端における収差図
【図５】本発明の数値実施例３の広角端、中間のズーム位置、望遠端におけるレンズ断面図
【図６】本発明の数値実施例３の広角端、中間のズーム位置、望遠端における収差図
【図７】本発明の数値実施例４の広角端、中間のズーム位置、望遠端におけるレンズ断面図
【図８】本発明の数値実施例４の広角端、中間のズーム位置、望遠端における収差図
【図９】本発明の数値実施例５の広角端、中間のズーム位置、望遠端におけるレンズ断面図
【図１０】本発明の数値実施例５の広角端、中間のズーム位置、望遠端における収差図
【図１１】本発明の数値実施例６の広角端、中間のズーム位置、望遠端におけるレンズ断面図
【図１２】本発明の数値実施例６の広角端、中間のズーム位置、望遠端における収差図
【図１３】本発明の数値実施例７の広角端、中間のズーム位置、望遠端におけるレンズ断面図
【図１４】本発明の数値実施例７の広角端、中間のズーム位置、望遠端における収差図
【図１５】本発明のズームレンズの近軸屈折力配置の説明図
【図１６】本発明の撮像装置の要部概略図
【発明を実施するための形態】
【００１１】
以下に、本発明の実施の形態を添付の図面に基づいて詳細に説明する。本発明のズームレンズは、物体側から像側へ順に、ズーミングのためには不動で合焦機能（合焦レンズ群）を含む正の屈折力の第１レンズ群、広角端から望遠端へのズーミングに際し、単調に像側へ移動する変倍用の負の屈折力の第２レンズ群を有する。更に広角端から望遠端へのズーミングに際して非直線的に像側へ移動する変倍用の正の屈折力の第３レンズ群、変倍に伴う像面変動を補正するために物体側へ凸状の軌跡を描いて移動する負の屈折力の第４レンズ群を有する。更にズーミングのためには不動の正の屈折力の第５レンズ群から構成される。ここで、レンズ群がズーミングのためには不動、というのは、レンズ群がズーミングを行う目的で駆動されることは無いが、ズーミングと合焦とを同時に行う場合があれば、第１レンズ群が合焦のために移動する場合はありえることである。
【００１２】
図１（Ａ）、（Ｂ）、（Ｃ）は本発明の実施例１としての数値実施例１の広角端（短焦点距離端）、焦点距離ｆ＝１６．９１ｍｍ、望遠端（長焦点距離端）におけるレンズ断面図である。図２（Ａ）、（Ｂ）、（Ｃ）は、数値実施例１の広角端、焦点距離ｆ＝１６．９１ｍｍ、望遠端における収差図である。数値実施例１は広角端の撮影半画角３４．８５°（焦点距離７．９ｍｍ）、ズーム比２１．０のズームレンズである。但し、焦点距離や物体距離の値は、後述する数値実施例をｍｍ単位で表したときの値である。物体距離は像面からの距離である。これらは以下の各実施例において、全て同じである。図３（Ａ）、（Ｂ）、（Ｃ）は本発明の実施例２としての数値実施例２の広角端、焦点距離ｆ＝１６．２４ｍｍ、望遠端におけるレンズ断面図である。図４（Ａ）、（Ｂ）、（Ｃ）は、数値実施例２の広角端、焦点距離ｆ＝１６．２４ｍｍ、望遠端における収差図である。数値実施例２は広角端の撮影半画角３４．５１°（焦点距離８．００ｍｍ）、ズーム比１７．００のズームレンズである。
【００１３】
図５（Ａ）、（Ｂ）、（Ｃ）は本発明の実施例３としての数値実施例３の広角端、焦点距離ｆ＝１６．２４ｍｍ、望遠端におけるレンズ断面図である。図６（Ａ）、（Ｂ）、（Ｃ）は、数値実施例３の広角端、焦点距離ｆ＝１６．２４ｍｍ、望遠端における収差図である。数値実施例３は広角端の撮影半画角３４．５１°（焦点距離８．００ｍｍ）、ズーム比１７．００のズームレンズである。図７（Ａ）、（Ｂ）、（Ｃ）は本発明の参考例１としての数値実施例４の広角端、焦点距離ｆ＝１６．２４ｍｍ、望遠端におけるレンズ断面図である。図８（Ａ）、（Ｂ）、（Ｃ）は、数値実施例４の広角端、焦点距離ｆ＝１６．２４ｍｍ、望遠端における収差図である。数値実施例４は広角端の撮影半画角３４．５１°（焦点距離８．００ｍｍ）、ズーム比１７．００のズームレンズである。
【００１４】
図９（Ａ）、（Ｂ）、（Ｃ）は本発明の実施例４としての数値実施例５の広角端、焦点距離ｆ＝１６．２４ｍｍ、望遠端におけるレンズ断面図である。図１０（Ａ）、（Ｂ）、（Ｃ）は、数値実施例５の広角端、焦点距離ｆ＝１６．２４ｍｍ、望遠端における収差図である。数値実施例５は広角端の撮影半画角３４．５１°（焦点距離８．００ｍｍ）、ズーム比１７．００のズームレンズである。図１１（Ａ）、（Ｂ）、（Ｃ）は本発明の実施例５としての数値実施例６の広角端、焦点距離ｆ＝１６．２４ｍｍ、望遠端におけるレンズ断面図である。図１２（Ａ）、（Ｂ）、（Ｃ）は、数値実施例６の広角端、焦点距離ｆ＝１６．２４ｍｍ、望遠端における収差図である。数値実施例６は広角端の撮影半画角３４．５１°（焦点距離８．００ｍｍ）、ズーム比１７．００のズームレンズである。
【００１５】
図１３（Ａ）、（Ｂ）、（Ｃ）は本発明の実施例６としての数値実施例７の広角端、焦点距離ｆ＝２６．７６ｍｍ、望遠端におけるレンズ断面図である。図１４（Ａ）、（Ｂ）、（Ｃ）は、数値実施例７の広角端、焦点距離ｆ＝２６．７６ｍｍ、望遠端における収差図である。数値実施例７は広角端の撮影半画角２６．５７°（焦点距離１１．００ｍｍ）、ズーム比３５．００のズームレンズである。実施例１乃至６はズーム比１７倍以上のズームレンズである。図１５（Ａ）、（Ｂ）は本発明のズームレンズの近軸屈折力配置の説明図である。図１６は本発明の撮像装置の概略図である。各実施例のズームレンズは放送用テレビカメラ、ビデオカメラ、デジタルカメラ等の撮像装置に用いられる撮像レンズ系である。レンズ断面図において左方が物体側（前方）で、右方が像側（後方）である。
【００１６】
レンズ断面図において、Ｇ１は合焦用レンズ群を含む正の屈折力（光学的パワー＝焦点距離の逆数）の前玉レンズ群（第１レンズ群）である。Ｇ２は変倍用の負の屈折力のバリエータ（第２レンズ群）であり、光軸上を像面側へ単調に移動させることにより、広角端から望遠端へのズーミングを行っている。Ｇ３は変倍用の正の屈折力のバリエータ（第３レンズ群）であり、光軸上を像面側へ曲線を描いて移動させることにより、広角端から望遠端へのズーミングを行っている。Ｇ４は負の屈折力のコンペンセータ（第４レンズ群）であり、変倍に伴う像面変動を補正するために光軸上を物体側へ非直線的に（凸状の軌跡を描いて）移動している。
【００１７】
各実施例では、変倍に伴う像面変動を補正するレンズ群を第４レンズ群Ｇ４としているが、第３レンズ群Ｇ３を像面変動補正用のレンズ群としても良い。ＳＰは開口絞りである。Ｇ５は結像作用を有する正の屈折力の固定のリレ−群（第５レンズ群）である。第１レンズ群Ｇ１の全部又は内部の一部レンズ群又は第５レンズ群Ｇ５の一部のレンズ群を繰り出すことにより、無限遠物体から近距離物体への合焦を行っても良い。Ｐは色分解プリズムや光学フィルター等であり、同図ではガラスブロックとして示している。Ｉは像面であり、固体撮像素子（光電変換素子）の撮像面に相当している。各実施例において、広角端における全系の焦点距離をｆｗ、ズーム比をＺとする。そして中間のズーム位置の焦点距離ｆＭを
【００１８】
【数２】
0005517547.tif 000002
【００１９】
とおく。広角端における第２レンズ群Ｇ２と第３レンズ群Ｇ３の間隔をＬ２Ｗとする。広角端から焦点距離ｆＭまでのズーム範囲のうち、第２レンズ群Ｇ２と第３レンズ群Ｇ３の間隔が最大となる最大値をＬ２ｍａｘとする。このとき、
１．１＜Ｌ２ｍａｘ／Ｌ２Ｗ≦６．６６    ・・・（１）
なる条件を満足している。条件式（１）は広角端と焦点距離ｆＭのズーム位置において、第２レンズ群Ｇ２と第３レンズ群Ｇ３の間隔や、焦点距離を適切に規定することにより、第１レンズ群Ｇ１のレンズ有効径を縮小している。各実施例のズームタイプと同じ５群ズームレンズで撮影画角が狭く、ズーム比が低ければ（小さければ）、物体側の第１レンズ群のレンズ有効径は、広角端における軸外光線の入射高によって決定される。しかしながら、広画角で高ズーム比である本実施例のようなズームレンズにおいては、ズーミングに伴う第２レンズ群Ｇ２、第３レンズ群Ｇ３の所要移動量が著しく大きい。そのため、撮影画角が小さくなる前に第２レンズ群Ｇ２が像面側に後退してくる。したがって、広角端より少し望遠側に変倍した、焦点距離ｆＷ〜焦点距離ｆＭのズーム中間領域において第１レンズ群Ｇ１に入射する軸外光線が最も高くなる。
【００２０】
各実施例のズームレンズにおいては、第２レンズ群Ｇ２及び第３レンズ群Ｇ３の間隔（空気間隔）、ズーミングに伴う移動軌跡を適切に設定している。これにより、焦点距離ｆＷ〜焦点距離ｆＭのズーム中間領域における軸外光線の第１レンズ群Ｇ１への入射位置の高さを下げ、第１レンズ群Ｇ１のレンズ径が増大しないようにしている。具体的には、変倍レンズ群は、第２レンズ群Ｇ２及び第３レンズ群Ｇ３、第４レンズ群Ｇ４から構成され、第２レンズ群Ｇ２は広角端から望遠端への変倍に伴って、光軸上を像面側へ単調に移動する。第３レンズ群Ｇ３は変倍に伴って光軸上を像面側へ非直線的に（曲線を描いて）移動する。第２レンズ群Ｇ２と第３レンズ群Ｇ３の間隔は、広角端において縮小し、焦点距離ｆＷ〜焦点距離ｆＭのズーム中間領域において拡大する。
【００２１】
ここで各実施例において第３レンズ群Ｇ３は、正の横倍率β３を有するため、撮像面側に移動することで全系の焦点距離を拡大し、物体側に移動することで全系の焦点距離を縮小するようになる。よって広角端においては、第３レンズ群Ｇ３が上記のような移動軌跡を有する場合、第３レンズ群Ｇ３は物体側に移動し、全系の焦点距離を縮小するため、レンズ全系の広画角化に対し有利な構成となっている。また、焦点距離ｆＷ〜焦点距離ｆＭのズーム中間領域においては、第３レンズ群Ｇ３は撮像面側に移動し、全系の焦点距離を拡大する。そのため、第１レンズ群Ｇ１と第２レンズ群Ｇ２の間隔Ｌ１を短く保ちながら、第２レンズ群Ｇ２と第３レンズ群Ｇ３の間隔Ｌ２を拡大することで、全系の焦点距離を拡大している。これにより、各実施例においては焦点距離ｆＷ〜焦点距離ｆＭのズーム中間領域において、間隔Ｌ２を広角端から一定にした場合と比較して、間隔Ｌ１を短く保つことができる。これにより第１レンズ群Ｇ１の軸外光線の入射高の高さを下げ、第１レンズ群Ｇ１のレンズ径が増大しないようにしている。
【００２２】
図１５（Ａ）、（Ｂ）は間隔Ｌ２を広角端のズーム位置から一定にした場合と、拡大した場合のズーム中間領域におけるズームレンズの近軸屈折力配置を示している。間隔Ｌ２を広角端から一定にした図１５（Ａ）に対し、間隔Ｌ２を拡大した図１５（Ｂ）の方が、第１レンズ群Ｇ１と第２レンズ群Ｇ２の間隔Ｌ１をより短く保てていることが分かる。これにより、第１レンズ群Ｇ１の軸外光線の入射高の高さを下げ、第１レンズ群Ｇ１のレンズ径を縮小している。条件式（１）は広角端から望遠端にズーミングする際の第２レンズ群Ｇ２と第３レンズ群Ｇ３の間隔を規定している。間隔Ｌ２を広角端において近接させることにより、広角化を容易にしている。また、間隔Ｌ２をズーム中間領域、特に焦点距離ｆＷ〜焦点距離ｆＭにおいて拡大させることにより、第１レンズ群Ｇ１と第２レンズ群Ｇ２間隔の拡大を抑制しつつ、第３レンズ群Ｇ３において焦点距離を増大させている。これにより、ズーム中間領域における第１レンズ群Ｇ１への軸外光線の入射高の高さを抑制し、第１レンズ群Ｇ１の小型、軽量化を達成している。
【００２３】
条件式（１）の上限を上回ると、ズーム中間領域において第２レンズ群Ｇ２と第３レンズ群Ｇ３の間隔が大きくなり、第３レンズ群Ｇ３の軸上光線の入射高の高さが増大する。このため、ズーム中間領域における球面収差、コマ収差等の変動が増大し、良好な光学性能を達成するのが困難となる。条件式（１）の下限を下回るとズーム中間領域における第２レンズ群Ｇ２と第３レンズ群Ｇ３の間隔が縮小し、第１レンズ群Ｇ１の軸外光線の入射高を抑制する効果が小さくなり、第１レンズ群Ｇ１の小型、軽量化が困難になる。更に好ましくは条件式（１）の数値範囲を次の如く設定するのが良い。
【００２４】
１．１３＜Ｌ２ｍａｘ／Ｌ２Ｗ≦６．６６    ・・・（１ａ）
各実施例では、以上の如く構成することにより、広画角、高ズーム比でありながら小型、軽量化のズームレンズを達成している。各実施例において、更に好ましくは次の諸条件のうちの１以上を満足するのが良い。第１、第２、第３レンズ群Ｇ１、Ｇ２、Ｇ３の焦点距離を各々ｆ１、ｆ２、ｆ３とする。第２レンズ群Ｇ２と第３レンズ群Ｇ３の合成焦点距離ｆ２３を
【００２５】
【数３】
0005517547.tif 000003
【００２６】
とおく。このとき、
２．３＜｜ｆ３／ｆ２３｜＜３３．０        ・・・（２）
４．０＜｜ｆ１／ｆ２３｜＜８．０          ・・・（３）
３．３＜｜ｆ３／ｆ２｜＜３３．０          ・・・（４）
５．０＜｜ｆ３／Ｌ２ｍａｘ｜＜４２０．０  ・・・（５）
なる条件のうち１以上を満足するのが良い。
【００２７】
条件式（２）は第３レンズ群Ｇ３の焦点距離と第２、第３レンズ群Ｇ２、Ｇ３の合成焦点距離の比を規定するものである。条件式（２）の上限を上回ると、第３レンズ群Ｇ３の屈折力が小さくなるため、ズーム中間領域における第３レンズ群Ｇ３による焦点距離の増大効果が縮小し、第１レンズ群Ｇ１の小型、軽量化を達成することが困難となる。条件式（３）の下限を下回ると、第３レンズ群Ｇ３の屈折力が大きくなり、ズーム中間領域における球面収差、コマ収差等が増大し、良好な光学性能を得るのが困難となる。
【００２８】
条件式（３）は、第１レンズ群Ｇ１の焦点距離と第２、第３レンズ群Ｇ２、Ｇ３の合成焦点距離の比を規定するものである。条件式（３）の上限を上回ると、第２レンズ群Ｇ２、第３レンズ群Ｇ３の屈折力が第１レンズ群Ｇ１の屈折力に対し大きくなり、諸収差の変動が増大し、良好な光学性能を得るのが困難となる。条件式（３）の下限を下回ると、第２レンズ群Ｇ２、第３レンズ群Ｇ３の屈折力が第１レンズ群Ｇ１の屈折力に対し小さくなりすぎて、高ズーム比化が困難となる。
【００２９】
条件式（４）は、第２レンズ群Ｇ２の焦点距離と第３レンズ群Ｇ３の焦点距離の比を規定するものである。条件式（４）の上限を上回ると、第３レンズ群Ｇ３の屈折力が小さくなるため、ズーム中間領域における第３レンズ群Ｇ３による焦点距離の増大効果が縮小し、第１レンズ群Ｇ１の小型、軽量化が困難となる。条件式（４）の下限を下回ると、第３レンズ群Ｇ３の屈折力が大きくなり、ズーム中間領域における球面収差、コマ収差等が増大するため、良好な光学性能を得るのが困難となる。
【００３０】
条件式（５）は、第２レンズ群Ｇ２と第３レンズ群Ｇ３の間隔に対する第３レンズ群Ｇ３の焦点距離の比を規定するものである。条件式（５）の上限を上回ると、第３レンズ群Ｇ３の屈折力が小さくなり、且つズーム中間領域における第２レンズ群Ｇ２と第３レンズ群Ｇ３の間隔が短くなる。このため、ズーム中間領域における第３レンズ群Ｇ３による焦点距離の増大効果が少なくなる。その結果、第１レンズ群Ｇ１への軸外光線の入射高の高さの抑制が困難となり、第１レンズ群Ｇ１の小型、軽量化が困難になる。条件式（５）の下限を下回ると、第３レンズ群Ｇ３の屈折力が大きくなり、且つズーム中間領域における第２レンズ群Ｇ２と第３レンズ群Ｇ３の間隔が短くなる。これにより、ズーム中間領域における球面収差、コマ収差等が増大するため、良好な光学性能を得るのが困難となる。以上により広画角、高ズーム比でありながら小型、軽量化を達成している。更に好ましくは条件式（２）〜（５）の数値範囲を次の如く設定するのが良い。
【００３１】
２．４＜｜ｆ３／ｆ２３｜＜３０．０        ・・・（２ａ）
４．０＜｜ｆ１／ｆ２３｜＜７．５          ・・・（３ａ）
３．４＜｜ｆ３／ｆ２｜＜３１．０          ・・・（４ａ）
５．５＜｜ｆ３／Ｌ２ｍａｘ｜＜４１０．０  ・・・（５ａ）
次に各実施例の各レンズ群のレンズ構成について説明する。以下、各レンズは物体側より像側へ順に配置されているものとする。第１レンズ群Ｇ１は負レンズ、負レンズと正レンズとを接合した接合レンズ、３つの正レンズより成っている。第２レンズ群Ｇ２は負レンズ、正レンズと負レンズとを接合した接合レンズより、または２つの負レンズより成っている。第３レンズ群Ｇ３は１つの正レンズ又は正レンズと負レンズより成っている。第４レンズ群Ｇ４は負レンズと正レンズとを接合した接合レンズより成っている。第５レンズ群Ｒは全体として１０乃至１２枚のレンズより成っている。以上のように各実施例によれば、第２レンズ群Ｇ２及び第３レンズ群Ｇ３の屈折力と、ズーミングに際しての第２レンズ群Ｇ２と第３レンズ群Ｇ２の間隔、ズーミングに伴う移動軌跡を適切に設定している。これにより、良好な光学性能を達成しつつ、広画角、高ズーム比で且つ全系が小型で軽量なズームレンズを得ることができる。
【００３２】
図１６は各実施例と参考例１のズームレンズを撮影光学系として用いた撮像装置（テレビカメラシステム）の要部概略図である。図１６において１０１は実施例１乃至６、参考例１のいずれか１つのズームレンズである。１２４はカメラである。ズームレンズ１０１はカメラ１２４に対して着脱可能になっている。１２５はカメラ１２４にズームレンズ１０１を装着することにより構成される撮像装置である。ズームレンズ１０１は第１レンズ群Ｆ、変倍部ＬＺ、結像用の第５レンズ群Ｇ５を有している。第１レンズ群Ｆは合焦用レンズ群が含まれている。変倍部ＬＺは変倍の為に光軸上を移動する第２レンズ群、第３レンズ群と、変倍に伴う像面変動を補正する為に光軸上を移動する第４レンズ群が含まれている。
【００３３】
ＳＰは開口絞りである。第５レンズ群Ｒは光路中より挿抜可能なレンズユニット（変倍光学系）ＩＥを有している。レンズユニットＩＥはズームレンズ１０１の全系の焦点距離範囲を変移している。１１４、１１５は、各々第１レンズ群Ｆ、変倍部ＬＺを光軸方向に駆動するヘリコイドやカム等の駆動機構である。１１６〜１１８は駆動機構１１４、１１５及び開口絞りＳＰを電動駆動するモータ（駆動手段）である。１１９〜１２１は、第１レンズ群Ｆ、変倍部ＬＺの光軸上の位置や、開口絞りＳＰの絞り径を検出する為のエンコーダやポテンショメータ、あるいはフォトセンサ等の検出器である。カメラ１２４において、１０９はカメラ１２４内の光学フィルターや色分解プリズムに相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ本体１０１の各種の駆動を制御するＣＰＵである。このように本発明のズームレンズをテレビカメラに適用することにより、高い光学性能を有する撮像装置を実現している。
【００３４】
以下に本発明の実施例１乃至３、参考例１、実施例４乃至６に対応する数値実施例１〜７を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉ，νｄｉは第ｉ番目の光学部材の屈折率とアッベ数である。＊印は非球面であることを示している。最後の３つの面は、フィルター等のガラスブロックである。非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０をそれぞれ非球面係数としたとき、次式で表している。
【００３５】
【数４】
0005517547.tif 000004
【００３６】
又、例えば「ｅ−Ｚ」は「×１０−Ｚ」を意味する。＊印は非球面であることを示している。各実施例と前述した条件式との対応を表−１に示す。 
【００３７】
（数値実施例１）
面番号       r        d      nd         νd       有効径
1       -329.245    2.30   1.80100    35.0       78.08
2        249.707    3.92                         76.45
3       3632.462    2.30   1.72825    28.5       76.36
4        115.991   13.27   1.43875    95.0       75.90
5       -164.753    0.40                         76.08
6        148.803    8.86   1.45600    90.3       75.12
7       -267.585    6.25                         74.80
8        133.728    6.62   1.72916    54.7       71.22
9      -1936.997    0.15                         70.47
10         65.273    6.33   1.77250    49.6       65.35
11        146.815  (可変)                         64.51
12*        60.869    1.00   1.88300    40.8       25.54
13         13.783    6.68                         20.29
14        -30.565    5.80   1.80809    22.8       19.88
15        -12.793    0.75   1.88300    40.8       19.78
16        182.256  (可変)                         20.09
17         49.356    2.41   1.69895    30.1       20.32
18       -232.727  (可変)                         20.25
19        -28.800    0.75   1.74320    49.3       19.93
20         40.674    2.56   1.84666    23.8       21.73
21      -5282.872  (可変)                         22.13
22(絞り)    ∞       1.30                         26.58
23        194.399    4.82   1.65844    50.9       27.91
24        -40.272    0.15                         28.53
25        155.039    2.44   1.53172    48.8       28.92
26       -456.105    0.15                         28.93
27         54.034    6.94   1.48749    70.2       28.87
28        -36.258    1.00   1.88300    40.8       28.47
29       -436.176   36.60                         28.58
30         43.800    5.93   1.48749    70.2       28.55
31        -57.570    0.91                         28.15
32       -179.847    1.00   1.83481    42.7       27.23
33         23.887    7.39   1.51633    64.1       26.43
34        -91.878    0.15                         26.67
35         51.827    7.32   1.49700    81.5       26.68
36        -29.619    1.00   1.88300    40.8       26.24
37        169.947    0.34                         26.56
38         45.844    5.30   1.57501    41.5       27.06
39        -60.117    4.50                         26.96
40          ∞      33.00   1.60859    46.4       40.00
41          ∞      13.20   1.51633    64.1       40.00
42          ∞       7.90                         40.00
像面        ∞   
非球面データ
第12面
K = 5.55425e-001  A 4= 4.31568e-006  A 6=-2.03508e-008  A 8= 8.73188e-011  A10=
-2.80126e-013  
各種データ
ズーム比     21.00 
焦点距離       7.90    16.91    36.20    77.50   165.90  
Fナンバー      1.90     1.90     1.90     1.90     2.68  
半画角（度）   34.85    18.02     8.64     4.06     1.90  
像高           5.50     5.50     5.50     5.50     5.50  
レンズ全長   275.88   275.88   275.88   275.88   275.88  
BF             7.90     7.90     7.90     7.90     7.90  
d11            0.70    23.56    38.95    48.51    53.88  
d16            0.35     2.26     1.67     2.01     1.68  
d18           57.13    29.57    12.42     4.26     7.22  
d21            6.00     8.79    11.14     9.41     1.40  

入射瞳位置    47.98   101.04   196.34   360.94   631.18  
射出瞳位置   425.47   425.47   425.47   425.47   425.47  
前側主点位置  56.03   118.64   235.68   452.82   862.99  
後側主点位置  -0.00    -9.01   -28.30   -69.60  -158.00  
ズームレンズ群データ
群  始面    焦点距離  レンズ構成長  前側主点位置  後側主点位置
1    1      69.86        50.40        32.63          1.64
2   12      -9.85        14.23         3.49         -6.20
3   17      58.01         2.41         0.25         -1.17
4   19     -43.35         3.31        -0.06         -1.87
5   22      57.98       133.44        64.77       -127.58
【００３８】
（数値実施例２）
面番号       r        d      nd         νd       有効径
1       -164.056    2.20   1.80100    35.0       68.71
2        131.705    4.04                         65.06
3        189.822    2.20   1.84666    23.8       65.50
4         90.749   11.33   1.43875    95.0       65.16
5       -202.860    0.50                         65.56
6        155.890    9.78   1.43387    95.1       66.25
7       -123.905    5.11                         66.18
8        101.141    9.94   1.72916    54.7       66.20
9       -342.096    0.15                         65.56
10         56.047    5.55   1.78800    47.4       59.79
11        103.504  (可変)                         58.79
12*       231.760    1.00   1.83481    42.7       24.25
13         13.826    5.12                         19.27
14        -59.648    5.03   1.80809    22.8       18.99
15        -13.341    0.75   1.83481    42.7       18.64
16         36.812  (可変)                         17.81
17         24.201    5.76   1.60342    38.0       18.00
18        -21.031    1.00                         17.56
19        -17.399    0.75   1.83481    42.7       16.62
20        -52.047  (可変)                         16.68
21        -24.514    0.75   1.75500    52.3       18.00
22         45.059    2.75   1.84666    23.8       19.71
23       -378.512  (可変)                         20.36
24(絞り)    ∞       1.34                         24.80
25        846.116    4.51   1.67003    47.2       25.93
26        -32.916    0.20                         26.62
27         51.557    3.71   1.48749    70.2       27.31
28       -664.151    0.15                         27.16
29         90.425    5.79   1.50127    56.5       26.97
30        -32.267    1.20   1.88300    40.8       26.59
31       -471.830   33.00                         26.70
32         64.432    5.22   1.49700    81.5       26.92
33        -43.149    0.50                         26.69
34       -138.707    1.40   1.83400    37.2       25.53
35         27.240    5.20   1.48749    70.2       24.48
36       -366.027    2.12                         24.45
37         50.056    7.49   1.50127    56.5       25.12
38        -25.415    1.40   1.88300    40.8       24.95
39       -120.075    1.32                         25.66
40         48.467    4.97   1.51742    52.4       26.20
41        -69.886    4.00                         26.01
42          ∞      33.00   1.60859    46.4       40.00
43          ∞      13.20   1.51633    64.2       40.00
44          ∞       7.95                         40.00
像面        ∞   
非球面データ
第12面
K = 2.53619e+002  A 4= 1.18483e-005  A 6=-1.37600e-008  A 8=-3.90531e-011  A10=
-1.97015e-013  
各種データ
ズーム比     17.00 
焦点距離       8.00    16.24    32.98    56.07   136.00  
Fナンバー      1.90     1.90     1.90     1.90     2.50  
半画角（度）   34.51    18.71     9.47     5.60     2.32  
像高           5.50     5.50     5.50     5.50     5.50  
レンズ全長   262.18   262.18   262.18   262.18   262.18  
BF             7.95     7.95     7.95     7.95     7.95  
d11            1.50    19.17    31.33    37.41    43.48  
d16            0.66     1.44     0.65     0.66     0.66  
d20           43.09    22.36     9.22     3.93     5.56  
d23            5.55     7.82     9.61     8.80     1.10  

入射瞳位置    44.23    83.88   152.58   231.45   442.88  
射出瞳位置   249.00   249.00   249.00   249.00   249.00  
前側主点位置  52.50   101.21   190.08   300.56   655.62  
後側主点位置  -0.05    -8.29   -25.03   -48.12  -128.05  
ズームレンズ群データ
群  始面    焦点距離  レンズ構成長  前側主点位置  後側主点位置
1    1      55.94        50.80        32.03          3.94
2   12      -8.92        11.90         3.05         -4.71
3   17      42.16         7.51        -1.40         -6.13
4   21     -37.90         3.50        -0.20         -2.12
5   24      61.74       129.72        73.37       -140.29
【００３９】
（数値実施例３）
面番号       r        d      nd         νd       有効径
1       -200.841    2.20   1.80100    35.0       70.99
2        118.901    7.85                         67.59
3        188.249    2.20   1.84666    23.8       67.33
4         90.080   11.71   1.43875    95.0       66.46
5       -211.855    0.50                         66.58
6        142.502   10.56   1.43387    95.1       66.45
7       -128.054    5.05                         66.92
8         98.522    8.55   1.72916    54.7       68.07
9       -434.439    0.15                         67.77
10         58.974    5.03   1.78800    47.4       61.67
11        103.504  (可変)                         60.89
12*       235.195    1.00   1.83481    42.7       26.16
13         14.331    6.59                         20.75
14       -378.780    7.17   1.80809    22.8       19.74
15        -13.499    0.75   1.81600    46.6       18.89
16         73.458  (可変)                         17.66
17         23.684    3.48   1.51742    52.4       17.35
18       -109.817    1.00                         16.71
19        -29.663    0.75   1.83400    37.2       16.61
20       -354.593  (可変)                         16.43
21        -24.442    0.75   1.75500    52.3       17.91
22         46.123    2.66   1.84666    23.8       19.61
23       -357.005  (可変)                         20.24
24(絞り)    ∞       1.34                         24.74
25        846.116    4.51   1.67003    47.2       25.87
26        -32.916    0.20                         26.57
27         51.557    3.71   1.48749    70.2       27.29
28       -664.151    0.15                         27.14
29         90.425    5.79   1.50127    56.5       26.96
30        -32.267    1.20   1.88300    40.8       26.58
31       -471.830   33.00                         26.71
32         64.432    5.22   1.49700    81.5       27.10
33        -43.149    0.50                         26.88
34       -138.707    1.40   1.83400    37.2       25.71
35         27.240    5.20   1.48749    70.2       24.65
36       -366.027    2.12                         24.59
37         50.056    7.49   1.50127    56.5       24.90
38        -25.415    1.40   1.88300    40.8       24.74
39       -120.075    1.32                         25.45
40         48.467    4.97   1.51742    52.4       26.01
41        -69.886    4.00                         25.82
42          ∞      33.00   1.60859    46.4       40.00
43          ∞      13.20   1.51633    64.2       40.00
44          ∞       8.49                         40.00
像面        ∞   
非球面データ
第12面
K = 2.13810e+002  A 4= 1.16046e-005  A 6=-1.85889e-008  A 8=-3.00851e-011  A10=
-4.90371e-014  
各種データ
ズーム比     17.00 
焦点距離       8.00    16.24    32.98    56.07   136.00  
Fナンバー      1.90     1.90     1.90     1.90     2.50  
半画角（度）   34.51    18.71     9.47     5.60     2.32  
像高           5.50     5.50     5.50     5.50     5.50  
レンズ全長   266.44   266.44   266.44   266.44   266.44  
BF             8.49     8.49     8.49     8.49     8.49  
d11            1.50    19.61    31.74    38.03    44.43  
d16            0.15     1.00     0.13     0.16     0.15  
d20           43.08    21.37     8.36     2.71     4.34  
d23            5.55     8.31    10.05     9.39     1.35  

入射瞳位置    46.21    84.81   147.82   219.59   409.55  
射出瞳位置   249.00   249.00   249.00   249.00   249.00  
前側主点位置  54.48   102.15   185.32   288.73   622.46  
後側主点位置   0.49    -7.75   -24.49   -47.57  -127.51  
ズームレンズ群データ
群  始面    焦点距離  レンズ構成長  前側主点位置  後側主点位置
1    1      55.94        53.80        35.61          6.25
2   12     -13.11        15.51         2.41         -8.03
3   17     399.99         5.23       -29.24        -30.71
4   21     -37.90         3.41        -0.20         -2.07
5   24      61.74       129.72        73.37       -140.29
【００４０】
（数値実施例４）
面番号       r        d      nd         νd       有効径
1       -171.037    2.20   1.80100    35.0       68.47
2        115.786    6.56                         64.64
3        146.333    2.20   1.84666    23.8       64.25
4         84.999   12.66   1.43875    95.0       63.62
5       -144.333    0.50                         64.24
6        140.685    8.80   1.43387    95.1       68.29
7       -209.278    5.06                         68.59
8        109.169    9.16   1.72916    54.7       69.96
9       -285.207    0.15                         69.67
10         57.976    5.42   1.78800    47.4       62.74
11        103.504  (可変)                         61.91
12*       206.067    1.00   1.83481    42.7       24.69
13         13.384    7.52                         19.52
14        -38.062    5.21   1.80809    22.8       18.42
15        -11.618    0.75   1.81600    46.6       18.36
16       -104.121  (可変)                         18.20
17         27.521    3.86   1.51742    52.4       17.79
18        -42.365    1.00                         17.25
19        -29.744    0.75   1.83400    37.2       16.66
20        374.112  (可変)                         16.38
21        -23.271    0.75   1.75500    52.3       18.22
22         51.113    2.56   1.84666    23.8       20.05
23       -210.359  (可変)                         20.65
24(絞り)    ∞       1.34                         25.34
25        437.682    4.65   1.67003    47.2       26.56
26        -33.673    0.20                         27.23
27         58.064    3.33   1.48749    70.2       27.85
28       -696.382    0.15                         27.73
29         90.654    6.03   1.50127    56.5       27.55
30        -31.860    1.20   1.88300    40.8       27.19
31       -277.918   33.00                         27.36
32         59.017    5.34   1.49700    81.5       27.28
33        -45.129    0.49                         27.01
34       -124.139    1.40   1.83400    37.2       25.89
35         27.752    5.43   1.48749    70.2       24.82
36       -149.661    2.12                         24.76
37         49.151    6.93   1.50127    56.5       25.17
38        -27.532    1.40   1.88300    40.8       24.94
39       -182.549    1.32                         25.44
40         50.414    4.77   1.51742    52.4       25.84
41        -75.360    4.00                         25.63
42          ∞      33.00   1.60859    46.4       40.00
43          ∞      13.20   1.51633    64.2       40.00
44          ∞       7.83                         40.00
像面        ∞   
非球面データ
第12面
K = 1.27576e+002  A 4= 1.65807e-005  A 6=-2.90796e-008  A 8=-5.73587e-012  A10=
-7.47723e-014  
各種データ
ズーム比     17.00 
焦点距離       8.00    16.24    32.98    56.07   136.00  
Fナンバー      1.90     1.90     1.90     1.90     2.43  
半画角（度）   34.51    18.71     9.47     5.60     2.32  
像高           5.50     5.50     5.50     5.50     5.50  
レンズ全長   263.54   263.54   263.54   263.54   263.54  
BF             7.83     7.83     7.83     7.83     7.83  
d11            1.50    19.32    31.73    37.98    44.27  
d16            0.15     7.55     0.71     0.13     0.15  
d20           43.08    15.27     8.01     3.02     4.43  
d23            5.55     8.14     9.84     9.16     1.44  

入射瞳位置    45.02    82.91   149.10   224.43   425.40  
射出瞳位置   321.05   321.05   321.05   321.05   321.05  
前側主点位置  53.22    99.99   185.55   290.54   620.45  
後側主点位置  -0.17    -8.41   -25.15   -48.24  -128.17  
ズームレンズ群データ
群  始面    焦点距離  レンズ構成長  前側主点位置  後側主点位置
1    1      55.94        52.70        34.12          5.24
2   12     -13.11        14.48         1.57         -9.59
3   17     399.99         5.61       -30.66        -32.14
4   21     -37.90         3.31        -0.31         -2.13
5   24      58.32       129.32        66.91       -133.50
【００４１】
（数値実施例５）
面番号       r        d      nd         νd       有効径
1       -194.185    2.20   1.80100    35.0       71.95
2        152.990    6.44                         68.29
3        172.100    2.20   1.84666    23.8       68.47
4         84.231   13.48   1.43875    95.0       67.63
5       -159.684    0.50                         67.86
6        145.720    8.90   1.43387    95.1       67.54
7       -217.779    5.05                         67.18
8         94.458    8.43   1.72916    54.7       65.37
9       -518.506    0.15                         64.94
10         57.871    5.95   1.78800    47.4       59.39
11        103.504  (可変)                         57.81
12*       150.334    1.00   1.81600    46.6       22.84
13         15.519    5.40                         18.50
14        -22.956    2.52   1.69895    30.1       17.80
15        -16.846    0.75   1.88300    40.8       17.40
16         24.645  (可変)                         17.08
17         26.371    5.62   1.72825    28.5       17.79
18        -16.500    1.00                         17.79
19        -13.978    0.75   1.81600    46.6       16.39
20        -28.496  (可変)                         16.71
21        -24.278    0.75   1.75500    52.3       18.11
22         45.791    2.72   1.84666    23.8       19.85
23       -331.958  (可変)                         20.49
24(絞り)    ∞       1.34                         24.95
25        222.103    3.87   1.67003    47.2       26.30
26        -48.105    0.20                         26.91
27         80.874    4.39   1.48749    70.2       27.80
28        -57.980    0.15                         27.89
29        106.732    5.75   1.50127    56.5       27.47
30        -32.205    1.20   1.88300    40.8       27.12
31       -231.564   33.00                         27.28
32         45.733    5.36   1.49700    81.5       26.42
33        -49.736    0.49                         26.06
34       -112.288    1.40   1.88300    40.8       25.08
35         21.225    6.64   1.50127    56.5       23.84
36        -77.219    2.12                         24.05
37         34.413    8.36   1.50127    56.5       25.23
38        -22.777    1.40   1.88300    40.8       24.95
39        329.893    1.32                         25.85
40         76.737    6.01   1.51742    52.4       26.73
41        -29.118    4.00                         26.93
42          ∞      33.00   1.60859    46.4       40.00
43          ∞      13.20   1.51633    64.2       40.00
44          ∞       7.37                         40.00
像面        ∞   
非球面データ
第12面
K = 1.16812e+002  A 4= 2.02208e-005  A 6=-4.57379e-008  A 8= 4.53466e-010  A10=
-1.15909e-012  
各種データ
ズーム比     17.00 
焦点距離       8.00    16.24    32.98    56.07   136.00  
Fナンバー      1.90     1.90     1.90     1.90     2.50  
半画角（度）   34.51    18.71     9.47     5.60     2.32  
像高           5.50     5.50     5.50     5.50     5.50  
レンズ全長   265.73   265.73   265.73   265.73   265.73  
BF             7.37     7.37     7.37     7.37     7.37  
d11            1.50    19.15    31.10    37.06    42.95  
d16            1.20     1.42     1.20     1.20     1.20  
d20           43.08    22.96     9.70     4.59     6.18  
d23            5.55     7.80     9.34     8.48     1.00  

入射瞳位置    46.72    87.96   159.25   242.56   467.64  
射出瞳位置   198.72   198.72   198.72   198.72   198.72  
前側主点位置  55.06   105.58   197.91   315.06   700.31  
後側主点位置  -0.63    -8.87   -25.61   -48.70  -128.63  
ズームレンズ群データ
群  始面    焦点距離  レンズ構成長  前側主点位置  後側主点位置
1    1      55.94        53.31        33.57          2.88
2   12      -6.59         9.67         3.99         -2.76
3   17      23.28         7.37         0.81         -3.87
4   21     -37.90         3.47        -0.22         -2.12
5   24      68.41       133.20        84.71       -156.74
【００４２】
（数値実施例６）
面番号       r        d      nd         νd       有効径
1       -384.654    2.20   1.80100    35.0       71.36
2        177.768    0.96                         68.95
3        150.266    2.20   1.84666    23.8       69.02
4         68.887   12.73   1.43875    95.0       67.70
5       -271.439    0.50                         67.85
6        240.880    5.73   1.43387    95.1       68.02
7       -355.573    5.20                         67.92
8         80.669    9.44   1.72916    54.7       66.55
9       -535.143    0.15                         66.00
10         52.417    5.53   1.78800    47.4       57.30
11        103.504  (可変)                         56.35
12*      -363.524    1.00   1.81600    46.6       20.62
13         15.116    4.54                         16.47
14        -19.231    2.07   1.80100    35.0       15.96
15        -15.608    0.75   1.88300    40.8       15.73
16         22.501  (可変)                         15.38
17         37.854    4.08   1.72825    28.5       16.76
18        -19.985    1.00                         16.89
19        -15.202    0.75   1.81600    46.6       16.67
20        -19.758  (可変)                         17.06
21        -24.016    0.75   1.75500    52.3       18.33
22         42.769    2.73   1.84666    23.8       20.16
23       -310.491  (可変)                         20.74
24(絞り)    ∞       1.34                         25.23
25        288.365    4.17   1.67003    47.2       26.50
26        -40.337    0.20                         27.11
27         54.495    4.95   1.48749    70.2       27.96
28        -59.275    0.15                         27.90
29       -967.901    4.91   1.50127    56.5       27.36
30        -30.408    1.20   1.88300    40.8       26.99
31       -183.466   33.00                         27.18
32         34.937    5.66   1.49700    81.5       25.77
33        -52.877    0.67                         25.29
34        -84.784    1.40   1.88300    40.8       24.32
35         17.426    7.60   1.50127    56.5       22.85
36        -56.188    2.12                         23.19
37         36.394    8.21   1.50127    56.5       24.80
38        -22.337    1.40   1.88300    40.8       24.70
39        309.097    1.32                         25.95
40        121.731    6.74   1.51742    52.4       26.89
41        -23.496    4.00                         27.31
42          ∞      33.00   1.60859    46.4       40.00
43          ∞      13.20   1.51633    64.2       40.00
44          ∞       7.52                         40.00
像面        ∞   
非球面データ
第12面
K = 5.32667e+002  A 4= 5.10907e-005  A 6=-5.82064e-008  A 8=-1.88445e-010  A10=
4.86527e-012  
各種データ
ズーム比     17.00 
焦点距離       8.00    16.24    32.98    56.07   136.00  
Fナンバー      1.90     1.89     1.90     1.90     2.40  
半画角（度）   34.51    18.71     9.47     5.60     2.32  
像高           5.50     5.50     5.50     5.50     5.50  
レンズ全長   258.17   258.17   258.17   258.17   258.17  
BF             7.52     7.52     7.52     7.52     7.52  
d11            1.50    18.04    30.06    35.56    40.82  
d16            3.00     3.89     2.98     3.01     3.00  
d20           43.08    24.54    11.59     7.13     8.69  
d23            5.55     6.67     8.50     7.43     0.62  

入射瞳位置    43.21    86.57   172.26   272.11   548.90  
射出瞳位置   155.36   155.36   155.36   155.36   155.36  
前側主点位置  51.64   104.60   212.59   349.44   810.02  
後側主点位置  -0.48    -8.72   -25.46   -48.55  -128.48  
ズームレンズ群データ
群  始面    焦点距離  レンズ構成長  前側主点位置  後側主点位置
1    1      55.94        44.62        26.09         -1.41
2   12      -5.78         8.35         3.27         -2.48
3   17      23.17         5.83         1.49         -2.38
4   21     -37.90         3.48        -0.23         -2.14
5   24      80.16       135.23       105.01       -183.39
【００４３】
（数値実施例７）
面番号       r        d      nd         νd       有効径
1       9481.631    3.00   1.83481    42.7      111.65
2        188.270    1.07                        109.28
3        187.729   15.78   1.43387    95.1      109.40
4       -299.935   11.15                        109.12
5        196.757    8.21   1.43387    95.1      109.73
6       1586.014    0.20                        109.56
7        158.068   10.26   1.43387    95.1      108.24
8       1148.110    0.20                        107.61
9        129.383    9.29   1.43387    95.1      103.49
10        393.464  (可変)                        102.47
11         60.772    1.00   1.88300    40.8       32.97
12         25.525    8.35                         29.38
13        -41.393    0.90   1.81600    46.6       28.46
14         70.252  (可変)                         28.24
15         57.029    6.75   1.80809    22.8       28.76
16        -54.943    1.50                         28.47
17        -47.597    1.10   1.81600    46.6       27.58
18        869.679  (可変)                         27.39
19        -47.569    1.30   1.71700    47.9       28.16
20         56.877    5.89   1.84649    23.9       30.12
21        398.973  (可変)                         31.31
22(絞り)    ∞       4.05                         36.72
23        226.671    6.76   1.60738    56.8       39.80
24        -52.362    0.15                         40.36
25       3180.721    3.29   1.51823    58.9       40.32
26       -125.098    0.35                         40.30
27         39.069    9.43   1.48749    70.2       38.94
28        -98.064    1.50   1.83400    37.2       37.77
29      -2415.030    0.15                         36.76
30         36.731    8.31   1.48749    70.2       34.11
31        -86.274    1.50   1.88300    40.8       32.19
32         30.301   50.00                         29.03
33       -120.629    4.64   1.51742    52.4       31.20
34        -35.365    2.54                         31.44
35         63.076    1.20   1.78590    44.2       28.68
36         31.790    6.50   1.51742    52.4       27.60
37       -109.650    2.01                         26.82
38         76.161    5.44   1.51742    52.4       24.54
39        -36.256    1.20   1.83481    42.7       23.64
40         48.072    0.67                         22.86
41         33.725    4.04   1.48749    70.2       22.99
42       -964.584    3.80                         22.65
43          ∞      34.37   1.60859    46.4       40.00
44          ∞      13.75   1.51680    64.2       40.00
45          ∞       9.01                         40.00
像面        ∞   
各種データ
ズーム比     35.00 
焦点距離      11.00    26.76    65.08   158.29   385.00  
Fナンバー      2.10     2.09     2.10     2.09     3.60  
半画角（度）   26.57    11.61     4.83     1.99     0.82  
像高           5.50     5.50     5.50     5.50     5.50  
レンズ全長   400.66   400.66   400.66   400.66   400.66  
BF             9.01     9.01     9.01     9.01     9.01  
d10            2.69    56.90    91.27   111.52   122.44  
d14            1.56     3.54     1.80     1.52     1.56  
d18          126.82    64.70    26.05     6.84    12.38  
d21            8.97    14.90    20.91    20.15     3.65  

入射瞳位置    81.32   232.61   520.20   1038.66   1973.60  
射出瞳位置   641.46   641.46   641.46   641.46   641.46  
前側主点位置  92.51   260.50   591.98   1236.57   2592.97  
後側主点位置  -1.99   -17.75   -56.08  -149.29  -375.99  
ズームレンズ群データ
群  始面    焦点距離  レンズ構成長  前側主点位置  後側主点位置
1    1     161.84        59.17        34.19         -8.92
2   11     -17.66        10.25         5.47         -3.17
3   15      83.62         9.35        -3.23         -8.66
4   19     -66.60         7.19         0.44         -3.46
5   22      89.02       165.66        99.66       -192.38
【００４４】
【表１】
0005517547.tif 000005
【符号の説明】
【００４５】
Ｇ１は第１レンズ群、Ｇ２は第２レンズ群、Ｇ３は第３レンズ群、Ｇ４は第４レンズ群、Ｇ５は第５レンズ群、ＳＰは絞り、Ｐはガラスブロック、Ｉは撮像面
【図１】
0005517547.tif 000006
【図２】
0005517547.tif 000007
【図３】
0005517547.tif 000008
【図４】
0005517547.tif 000009
【図５】
0005517547.tif 000010
【図６】
0005517547.tif 000011
【図７】
0005517547.tif 000012
【図８】
0005517547.tif 000013
【図９】
0005517547.tif 000014
【図１０】
0005517547.tif 000015
【図１１】
0005517547.tif 000016
【図１２】
0005517547.tif 000017
【図１３】
0005517547.tif 000018
【図１４】
0005517547.tif 000019
【図１５】
0005517547.tif 000020
【図１６】
0005517547.tif 000021